(57)【要約】【課題】主に、奥側ルーバーが居室部５側から見えてしまうことを防止して、外観品質を向上し得るようにする。【解決手段】居室部５に面して取り付けられた筒状の通気口部材本体３１の居室部５から見て手前側に、手前側ルーバー３２を設置すると共に、この手前側ルーバー３２の奥側に、奥側ルーバー３３を設置した二重ルーバー型の通気口部材１７，１８に関する。上記奥側ルーバー３３を、その存在が居室部５側から視認困難な態様となるようにする。【選択図】図８
2014062704.tif 000002
【特許請求の範囲】
【請求項１】
居室部に面して取り付けられた筒状の通気口部材本体の居室部から見て手前側に、手前側ルーバーを設置すると共に、
該手前側ルーバーの奥側に、奥側ルーバーを設置した二重ルーバー型の通気口部材において、
前記奥側ルーバーを、その存在が居室部側から視認困難な態様にしたことを特徴とする通気口部材。
【請求項２】
前記奥側ルーバーが、居室部側から視認し難い色彩を有することを特徴とする請求項１に記載の通気口部材。
【請求項３】
前記奥側ルーバーが、居室部側から視認し難しくする表面形状を有するものとされたことを特徴とする請求項１または請求項２に記載の通気口部材。
【請求項４】
建物内部に、複数の通気口部材を近接配置した通気口部材設置構造において、
通気口部材の少なくとも１つを、請求項１ないし請求項４のいずれか１項に記載の、奥側ルーバーをその存在が居室部側から視認困難な態様にした二重ルーバー型の通気口部材とし、
通気口部材の別の少なくとも１つを、手前側ルーバーのみが設置された一重ルーバー型の通気口部材としたことを特徴とする通気口部材設置構造。
【請求項５】
前記二重ルーバー型の通気口部材が、建物内部へ空気を供給するための給気口部材であり、
前記一重ルーバー型の通気口部材が、建物内部の空気を排出するための排気口部材であることを特徴とする請求項４に記載の通気口部材設置構造。
【請求項６】
前記二重ルーバー型の通気口部材と、前記一重ルーバー型の通気口部材とが、左右に並べて設置されたことを特徴とする請求項４または請求項５に記載の通気口部材設置構造。
【請求項７】
前記二重ルーバー型の通気口部材と、前記一重ルーバー型の通気口部材とが、居室部内におけるドア部の上側に設置されたことを特徴とする請求項４ないし請求項６のいずれか１項に記載の通気口部材設置構造。
【発明の詳細な説明】
【技術分野】
【０００１】
この発明は、住宅などの建物の内部に設けられる通気口部材および通気口部材設置構造に関するものである。
【背景技術】
【０００２】
住宅などの建物には、冷暖房装置や換気装置などの空気調和装置が設けられる。そして、建物の内部（屋内）には、このような空気調和装置の空気の出入口となる通気口部材が取付けられる。
【０００３】
このような通気口部材には、屋内に取り付けられた筒状の通気口部材本体の屋内側から見て手前側に、手前側ルーバーを設置すると共に、この手前側ルーバーの奥側に、奥側ルーバーを設置して成る二重ルーバー型の通気口部材や、通気口部材本体の手前側に、手前側ルーバーのみが設置されて、上記した奥側ルーバーが設置されない一重ルーバー型の通気口部材などが存在している。
【０００４】
なお、建物の外部（屋外）に設けられる通気口部材については、例えば、特許文献１のようなものがある。
【先行技術文献】
【特許文献】
【０００５】
【特許文献１】国際公開ＷＯ  ２００９／０４４８４７
【発明の概要】
【発明が解決しようとする課題】
【０００６】
しかしながら、建物の内部に設置される二重ルーバー型の通気口部材には、手前側ルーバーの隙間を通して屋内側から奥側ルーバーの存在が見えてしまうため、外観品質があまり良くないという問題があった。
【０００７】
また、上記した二重ルーバー型の通気口部材と、奥側ルーバーのない一重ルーバー型の通気口部材とを近接配置した場合に、両者の対比によって、二重ルーバー型の通気口部材の奥側ルーバーが目立ってしまい、見た者に違和感を生じさせてしまうという問題があった。
【０００８】
なお、通気口部材が、特許文献１のような、建物の外部に設けられる屋外型のものの場合には、通気口部材が、通常の目線では見ることができないような、高い位置に設置されており、また、通気口部材の内部に雨水が浸入しないように、全体がフードなどで覆われたりすることが多いため、上記したような、屋外側から奥側ルーバーが見えてしまうという外観品質上の問題は、特に発生していない。
【課題を解決するための手段】
【０００９】
上記課題を解決するために、請求項１に記載された発明は、居室部に面して取り付けられた筒状の通気口部材本体の居室部から見て手前側に、手前側ルーバーを設置すると共に、該手前側ルーバーの奥側に、奥側ルーバーを設置した二重ルーバー型の通気口部材において、前記奥側ルーバーを、その存在が居室部側から視認困難な態様にしたことを特徴とする。
請求項２に記載された発明は、上記において、前記奥側ルーバーが、居室部側から視認し難い色彩を有することを特徴とする。
請求項３に記載された発明は、上記において、前記奥側ルーバーが、居室部側から視認し難しくする表面形状を有するものとされたことを特徴とする。
請求項４に記載された発明は、建物内部に、複数の通気口部材を近接配置した通気口部材設置構造において、通気口部材の少なくとも１つを、請求項１ないし請求項４のいずれか１項に記載の、奥側ルーバーをその存在が居室部側から視認困難な態様にした二重ルーバー型の通気口部材とし、通気口部材の別の少なくとも１つを、手前側ルーバーのみが設置された一重ルーバー型の通気口部材とした通気口部材設置構造を特徴とする。
請求項５に記載された発明は、上記において、前記二重ルーバー型の通気口部材が、建物内部へ空気を供給するための給気口部材であり、前記一重ルーバー型の通気口部材が、建物内部の空気を排出するための排気口部材であることを特徴とする。
請求項６に記載された発明は、上記において、前記二重ルーバー型の通気口部材と、前記一重ルーバー型の通気口部材とが、左右に並べて設置されたことを特徴とする。
請求項７に記載された発明は、上記において、前記二重ルーバー型の通気口部材と、前記一重ルーバー型の通気口部材とが、居室部内におけるドア部の上側に設置されたことを特徴とする。
【発明の効果】
【００１０】
請求項１に記載された発明によれば、上記構成によって、以下のような作用効果を得ることができる。即ち、手前側ルーバーの奥側に奥側ルーバーが設置されている場合に、手前側ルーバーの隙間を通して居室部側から奥側ルーバーの存在が見えてしまうおそれがあるが、奥側ルーバーを、その存在が居室部側から視認困難な態様にすることにより、奥側ルーバーが居室部側から見え難くなるため、通気口部材をすっきりした外観に仕上げることができるようになると共に、通気口部材の製品品質を向上することができるようになる。
請求項２に記載された発明によれば、上記構成によって、以下のような作用効果を得ることができる。即ち、奥側ルーバーを、居室部側から視認し難い色彩とすることによって、奥側ルーバーを目立ち難くすることができる。
請求項３に記載された発明によれば、上記構成によって、以下のような作用効果を得ることができる。即ち、奥側ルーバーを、居室部側から視認し難い表面形状とすることによって、奥側ルーバーを目立ち難くすることができる。
請求項４に記載された発明によれば、上記構成によって、以下のような作用効果を得ることができる。即ち、建物内部に複数の通気口部材を近接配置する場合に、複数の通気口部材が構造の異なるものであると、その構造の違いが異様に目立ってしまうおそれがある。特に、通気口部材の少なくとも１つが、手前側ルーバーと奥側ルーバーとを有する二重ルーバー型の通気口部材であり、通気口部材の別の少なくとも１つが、手前側ルーバーのみを有する一重ルーバー型の通気口部材である場合に、二重ルーバー型の通気口部材の奥側ルーバーが目立ってしまい、見た者に違和感を生じさせるおそれがある。このような場合に、二重ルーバー型の通気口部材の奥側ルーバーをその存在が居室部側から視認し難いものとすれば、奥側ルーバーが居室部側から見え難くなり、上記した違和感を解消することができる。
請求項５に記載された発明によれば、上記構成によって、以下のような作用効果を得ることができる。即ち、一般に、空気を吹き出す給気口部材には、風向調整ができるようにするなどのために、二重ルーバー型の通気口部材が用いられることが多い。また、空気を吸い込む排気口部材には、特に風向調整機能などは必要ないので、一重ルーバー型の通気口部材が用いられることが多い。しかも、このような、奥側ルーバーを有する二重ルーバー型の給気口部材と、奥側ルーバーを有さない一重ルーバー型の排気口部材とを、セットにして設置するようなケースも多くなっている。よって、このような場合に、給気口部材の奥側ルーバーを手前側ルーバーよりも視認し難いものとすれば、上記した二重ルーバー型の給気口部材と一重ルーバー型の排気口部材との組み合わせを、違和感のない組み合わせとして、一般化することができる。
請求項６に記載された発明によれば、上記構成によって、以下のような作用効果を得ることができる。即ち、二重ルーバー型の通気口部材と、一重ルーバー型の通気口部材とを、左右に並べて設置した場合、両者は自然と比較されてしまうため、奥側ルーバーが目立ち易い最も不利な配置となるが、このような場合に、二重ルーバー型の通気口部材の奥側ルーバーをその存在が居室部から視認し難いものとすることにより、上記した不利な配置であっても、違和感なく二重ルーバー型の通気口部材と、一重ルーバー型の通気口部材とを、設置することができる。
請求項７に記載された発明によれば、上記構成によって、以下のような作用効果を得ることができる。即ち、二重ルーバー型の通気口部材と、一重ルーバー型の通気口部材とが、居室部内におけるドア部の上側に設置されたことにより、ドア部の上側は、居室部にとってはデッドスペースであるので、デッドスペースを利用して、二重ルーバー型の通気口部材と、一重ルーバー型の通気口部材とを効率良く居室部に設置することができる。また、ドア部の周辺は、出入りの時以外は人が近づくことが少ないので、位置的に二重ルーバー型の通気口部材と、一重ルーバー型の通気口部材とが比較され難くなり、これらを配置する上でもまたデザイン的にも有利である。更に、ドア部の周辺は、出入りの時以外は人が近づくことが少ないので、通気口部材からの風が直接人に当たり難く、空調効果の面でも有利である。
【図面の簡単な説明】
【００１１】
【図１】本発明の実施例にかかる、建物の内部を部分的に示す斜視図である。
【図２】図１のドア部の上部を示す斜視図である。
【図３】図１または図２の通気口部材の斜視図である。
【図４】図３の正面図である。
【図５】図３の背面図である。
【図６】図３の内部を示す側面図である。
【図７】図３の内部を示す平面図である。
【図８】奥側ルーバーの奥側羽根部を示すものであり、（ａ）は奥側羽根部の正面図、（ｂ）は奥側羽根部の側面図、（ｃ）は奥側羽根部の底面図である。
【発明を実施するための形態】
【００１２】
以下、本実施の形態、および、それを具体化した実施例を、図面を用いて詳細に説明する。
図１〜図８は、この実施例およびその変形例を示すものである。
【実施例１】
【００１３】
＜構成＞以下、構成について説明する。
【００１４】
図１は、建物１の内部を部分的に示す斜視図である。
【００１５】
ここで、上記した建物１は、一戸建て住宅であっても、集合住宅であっても良い。あるいは、建物１は、商業ビルやその他の施設ビルなどであっても良い。また、例えば、上記した一戸建て住宅は、木造や、鉄骨造や、コンクリート造など、どのような建築材によるものであっても良い。上記した一戸建て住宅は、在来工法やユニット工法など、どのような工法によるものであっても良い。
【００１６】
この建物１は、少なくとも、床部２と、天井部３と、壁部４とを備えている。そして、これらの床部２、天井部３、壁部４によって、居室部５や、廊下や階段などの非居室部６などが区画形成されている。
【００１７】
また、居室部５における、非居室部６に面した壁部４には、居室部５に対して出入りするためのドア部７が設けられている。このドア部７は、壁部４に形成されたドア開口部８と、このドア開口部８に対して開閉自在に取付けられた板状のドア本体９とを有している。
【００１８】
一方、建物１の内部には、冷暖房装置や、換気装置などの空気調和装置１１を設置するための空調機器設置空間１２が設けられる。そして、例えば、この空調機器設置空間１２に設置された空気調和装置１１の上部には、空気出口部１３と、空気入口部１４とが、それぞれ設けられている。
【００１９】
ここで、空気調和装置１１の、上記した冷暖房装置は、冷暖房機能などを備えた全館空調装置などとすることができる。また、空気調和装置１１の、上記した換気装置は、２４時間換気装置などとすることができる。なお、上記した空調機器設置空間１２は、収納スペースの一部として設置することや、独立した空間として設置することができる。
【００２０】
また、居室部５内におけるドア部７が設けられた壁部４の、ドア開口部８よりも上側の部分には、給気口（空気供給口）や排気口（空気排出口）などとなる開口部が複数設けられている。そして、この給気口や排気口に対して、後述するような、屋内用の複数の通気口部材１７，１８が、それぞれ取付けられている（図２も併せて参照）。この通気口部材１７，１８は、文字通り、居室部５などに対する空気の出入口となるものである。
【００２１】
そして、空気調和装置１１の上部に設けられた空気出口部１３および空気入口部１４と、居室部５の給気口や排気口に設置された通気口部材１７，１８との間には、給気ダクト２１（居室部５へ空気を供給するための空気供給用ダクト）や排気ダクト２２（居室部５から空気を排出するための空気排出用ダクト）などのダクト部材が、それぞれ接続されている。これらのダクト部材（給気ダクト２１および排気ダクト２２）は、非居室部６の天井部３の下方に形成されたダクト収容空間２３の内部に収容されている。この場合、ダクト収容空間２３は、天井部３の下方に所要の間隙を有して内天井部２４を設けることによって、即ち、二重天井化することによって、その内部に形成されている。この場合、ダクト収容空間２３は、空調機器設置空間１２に対して連通されるようにしている。
【００２２】
また、給気ダクト２１と排気ダクト２２とには、円形断面や正方形断面などのダクト部材を用いても良いが、ダクト収容空間２３などの狭い空間に対しても容易に配設できるようにするために、少なくとも、その一部に扁平ダクトなどを使用するようにしても良い。扁平ダクトは、文字通り、扁平化されたダクトのことであり、横長の、長円形断面や、楕円形断面や、長方形断面のものなどとされている。
【００２３】
そして、図２および図３〜図７に示すように、上記したような通気口部材１７，１８には、短い筒状の通気口部材本体３１（図３参照）の手前側に、手前側ルーバー３２を設置すると共に、この手前側ルーバー３２の奥側（通気口部材本体３１の内部）に、奥側ルーバー３３を設置して成る二重ルーバー型のもの（二重ルーバー型通気口部材３４）や、通気口部材本体３１の手前側に、手前側ルーバー３２のみが設置されて、奥側ルーバー３３が設置されない一重ルーバー型のもの（一重ルーバー型通気口部材３５）などが存在している。ここで、手前側とは、通気口部材本体３１の正面側（後述する枠状部３６側）、即ち、通気口部材本体３１を居室部５の壁部４などに設置した状態における、居室部５側のことである。
【００２４】
なお、二重ルーバー型通気口部材３４は、給気ガラリなどと呼ばれる給気口部材（通気口部材１７）に用いられることが多く、また、一重ルーバー型通気口部材３５は、排気ガラリなどと呼ばれる排気口部材（通気口部材１８）に用いられることが多い。但し、給気口部材に一重ルーバー型通気口部材３５を用いたり、排気口部材に二重ルーバー型通気口部材３４を用いたりしても良い。この場合、二重ルーバー型通気口部材３４と、一重ルーバー型通気口部材３５とは、奥側ルーバー３３の有無以外は、ほとんど同じまたは同一の形状や構造を有するものとされている。
【００２５】
ここで、筒状の通気口部材本体３１は、居室部５の壁部４に形成された給気口や排気口などの開口部へ挿入配置可能な形状や、大きさや、長さなどを有するものとされる。この場合には、横長の矩形断面形状とされている。但し、通気口部材本体３１の断面形状などは、上記に限るものではない。
【００２６】
また、通気口部材本体３１の手前側の端部には、意匠面（フェース面）を構成する枠状部３６が設けられている。この枠状部３６は、通気口部材本体３１よりも一回り大きい外形を有して、壁部４の表面に係止状態で配置されることにより、上記した開口部と通気口部材本体３１との間の隙間を覆い隠すことができるように設置される。
【００２７】
この枠状部３６は、壁部４とほぼ面一状態に見えるようにするなどのために、薄型のものとされる。この場合、例えば、枠状部３６は、壁部４の表面からの突出量が、ほぼ１０ｍｍ程度以下となるような厚みに形成される。但し、枠状部３６の、壁部４の表面からの突出量については、上記に限るものではない。
【００２８】
この枠状部３６は、通気口部材本体３１と一体に設けられるようにしても良い。または、枠状部３６は、通気口部材本体３１とは別体に設けられて、ネジなどの締結部材によって一体的に締結固定されるようにしても良い。この際、枠状部３６と、通気口部材本体３１との間には、両者間の位置関係を調整するための位置調整機構などを設けるようにしても良い。この場合には、別体に構成されて、ネジなどで一体化されたものとされている。更に、枠状部３６の表面は、平面的なものとしても、あるいは、緩やかなカーブを有する曲面的もの、即ち、意匠性の高いものなどとしても良い。
【００２９】
また、通気口部材本体３１の奥側の端部には、上記した給気ダクト２１や排気ダクト２２の居室部５側の端部に接続するためのダクト接続口部４１と、このダクト接続口部４１よりも一回り大きく形成されたダクト接続用ボックス部４２とが、順に設けられている。この場合、ダクト接続口部４１（やダクト接続用ボックス部４２）は、上記した扁平ダクトと接続するために、横長の扁平形状のものとされている。但し、ダクト接続口部４１（やダクト接続用ボックス部４２）は、扁平ダクトと接続しないような場合には、扁平形状でない、例えば、円形断面や正方形断面などとしても良い。
【００３０】
そして、上記した手前側ルーバー３２は、上記した枠状部３６の内側に設置されている。手前側ルーバー３２は、互いに平行な複数枚の手前側羽根部４５を有するものとされる。この場合、手前側羽根部４５は、横方向（または左右方向）へ延びる横ルーバー羽根とされる。
【００３１】
更に、手前側ルーバー３２の手前側羽根部４５は、固定のものとしても良いが、風向を調節し得るようにするために、可動のものとすることができる。そのために、図６に示すように、各手前側羽根部４５は、その手前側端部が、その長手方向へ延びる回転軸４６を介して、枠状部３６（または通気口部材本体３１）の両側部に回動自在に軸支される。更に、必要に応じて、各手前側羽根部４５の奥側端部間を、上記した長手方向と直交する方向へ延びるリンク部材４７によって互いに連結することにより、各手前側羽根部４５を同時に角度変更または角度調整可能な風向調節機構４８を設けるようにしても良い。
【００３２】
一方、上記した奥側ルーバー３３は、上記した通気口部材本体３１の内部に設置されている。奥側ルーバー３３は、互いに平行な複数枚の奥側羽根部５１を有するものとされる。この場合、奥側羽根部５１は、縦方向（または上下方向）へ延びる縦ルーバー羽根とされる。
【００３３】
更に、奥側ルーバー３３の奥側羽根部５１は、固定のものとしても良いが、風向を調節し得るようにするために、可動のものとすることができる。そのために、図７に示すように、各奥側羽根部５１は、その幅中心位置が、その長手方向へ延びる回転軸５２を介して、通気口部材本体３１の上下部に回動自在に軸支される。更に、必要に応じて、各奥側羽根部５１の手前側端部間を、上記した長手方向と直交する方向へ延びるリンク部材５３によって互いに連結することにより、各手前側羽根部４５を同時に角度変更または角度調整可能な風向調節機構５４を設けるようにしても良い。
【００３４】
なお、上記した手前側羽根部４５と奥側羽根部５１とは、その延設方向を反対にしても良い。但し、その場合には、左右方向と上下方向とを、互いに反対に読み替えるものとする。また、手前側羽根部４５と奥側羽根部５１とは直交されているが、構造的には、手前側羽根部４５と奥側羽根部５１とが同じ方向へ向いた平行のものとすることもできる。このように、手前側羽根部４５と奥側羽根部５１とを平行にすることにより、風向を、粗調整と微調整との二段に行い得るものとすることができる。
【００３５】
更に、上記した通気口部材１７，１８は、樹脂製のものとされる。あるいは、通気口部材１７，１８は、金属製のものとされる。
【００３６】
また、上記した通気口部材１７，１８は、装飾性などを考慮して複数のカラーバリエーションを設定することができる。このカラーバリエーションには、例えば、壁部４などと同化し易い、白やアイボリーなどの白系（あるいは淡色系）のものや、高級感が得られる、黒や濃い茶色などの暗色系のものや、両者の中間で、適度な質感やアクセントが得られるグレーなどの中間調のものや、ナチュラルな感じが得られる木目調のものや、先進的な感じが得られる金属調のものなどが、目的に応じて、適宜用意される。なお、通常の場合には、上記した通気口部材１７，１８は、全体が、同じ色や色調で統一される。あるいは、一色のものとされる。即ち、少なくとも、枠状部３６と、通気口部材本体３１と、手前側ルーバー３２と、奥側ルーバー３３とは、同じ色で構成される。
【００３７】
そして、以上のような、居室部５に面して取り付けられた筒状の通気口部材本体３１の居室部５から見て手前側に、手前側ルーバー３２を設置すると共に、この手前側ルーバー３２の奥側に、奥側ルーバー３３を設置した二重ルーバー型の通気口部材１７（二重ルーバー型通気口部材３４）に対して、この実施例のものでは、以下のような構成を備えるようにしている。
【００３８】
まず、通気口部材１７自体の構成について説明する。
【００３９】
（構成１）
上記奥側ルーバー３３を、その存在が居室部５側から視認困難な態様にする（視認困難性ルーバー）。
【００４０】
（補足説明１）
ここで、「奥側ルーバー３３を、手前側ルーバー３２よりも視認困難な態様にする」には、奥側ルーバー３３を絶対的に視認し難いものにするという意味と、奥側ルーバー３３を手前側ルーバー３２との関係において相対的に視認し難いものにするという意味との、２つの意味があり、後者（相対的に視認し難い）は、前者（絶対的に視認し難い）および前者よりも視認し難さの程度が低いものを含んだ、より広い概念であるため、この場合には、両方の意味が含まれるように、後者としている。
【００４１】
また、「視認し難い」には居室部５側から完全に見えなくなることや、居室部５側からほとんど見えなくなることが含まれる。また、「視認し難い」には、居室部５側から見えてはいるが、ほとんど注意を惹かない、または、印象や記憶に残らないことにより、つい見過ごしてしまうような状態、あるいは、気付かないまたは気付き難い状態が含まれる。更に、「視認し難い」には、別のもの（例えば、通気口部材本体３１の内部形状など）に見間違えることによって、存在していないかのように錯覚したり誤認したりしてしまうような状態が含まれる。
【００４２】
上記したように、奥側ルーバー３３を居室部５側から視認困難な態様とするために、例えば、手前側ルーバー３２と奥側ルーバー３３との間に、暗色系のフィルターを設置することができる。この暗色系のフィルターは、通気口部材本体３１の断面全体を覆うことができるものとされる。
このように、暗色系のフィルターを設置することにより、上記した一重ルーバー型の通気口部材１８（一重ルーバー型通気口部材３５）は、手前側ルーバー３２の奥側に暗色系のフィルターが備えられることが多いので、一重ルーバー型の通気口部材１８（一重ルーバー型通気口部材３５）と、二重ルーバー型の通気口部材１７（二重ルーバー型通気口部材３４）とを、同じまたは同様の外観にすることができる。
【００４３】
また、奥側ルーバー３３を居室部５側から視認困難な態様とするために、例えば、図８に示すように、上記奥側ルーバー３３の全部の面（全面）に視認困難部６１を設けるようにすることができる。
ここで、「居室部５側から視認」とは、通気口部材１７を居室部５の壁部４に設置した状態で、通気口部材本体３１の内部を、居室部５側から、真正面や、（斜め）上下方向、（斜め）左右方向に見ることである。
【００４４】
（構成２）
より具体的には、上記奥側ルーバー３３（の視認困難部６１）が、居室部５側から視認し難い色彩（視認困難色）を有するものとされる。
【００４５】
（補足説明２）
ここで、上記した「居室部５側から視認し難い色彩」は、黒色とすることができる。また、「居室部５側から視認し難い色彩」は、黒色以外の濃紺や、濃茶などの暗色とすることができる。また、「居室部５側から視認し難い色彩」は、通気口部材１７，１８や手前側ルーバー３２と同色または同系色で、且つ、その明度を落としたものとすることもできる。更に、「居室部５側から視認し難い色彩」は、透明とすること（または、透明を含むこと）ができる。透明には、無色透明や、有色透明や、半透明などが含まれる。有色透明は、黒色または暗色系のものとするのが最も好ましい。この場合、奥側ルーバー３３は、透明な樹脂によって構成されるようにする。
【００４６】
なお、例えば、手前側ルーバー３２が黒色であるような場合には、単に、奥側ルーバー３３を同じ黒色にしただけでは、視認困難な態様にする効果が得られないので、例えば、奥側ルーバー３３を透明（特に黒系の有色透明など）にしたり、後述するような別の手段（例えば、視認困難化用表面形状部など）を採用したり、あるいは、これらを組み合わせたりすることによって、手前側ルーバー３２よりも視認困難な態様にすることが可能である。
【００４７】
上記した居室部５側から視認し難い色彩は、例えば、奥側ルーバー３３の地色そのものによって構成したり、奥側ルーバー３３の表面を塗装したり、奥側ルーバー３３の表面に着色フィルムや遮光フィルムを設置したり（例えば、貼着したり、インサート成形したり）することなどによって実施することができる。
【００４８】
また、上記した居室部５側から視認し難い色彩は、完全に塗り潰した状態とする（無地または無模様とする）のが基本であるが、居室部５側から視認し難い色彩で、例えば、目の細かいドット柄や網目などの模様を形成することによって、塗り潰しと同等の効果を得ることができる。また、居室部５側から視認し難い色彩で、手前側ルーバー３２と平行な方向へ延びる縞模様を形成することなどによって、手前側ルーバー３２に擬態させるようにすることができる。あるいは、これらの模様を組み合わせて、塗り潰しと同等の効果を得ることなどもできる。
【００４９】
（構成３）
上記奥側ルーバー３３（の視認困難部６１）が、居室部５側から視認し難しくする表面形状（視認困難化用表面形状部）を有するものとされる。
【００５０】
（補足説明３）
ここで、上記した「居室部５側から視認し難しくする表面形状」は、例えば、細かい凹凸形状とすることができる。細かい凹凸形状は、光を乱反射させることによって、つや消し効果などを生じさせるものなどとされる。つや消し効果を生じさせるためには、細かい凹凸形状は、例えば、４μｍ程度以下の凹凸を有するものなどとされる。
【００５１】
上記したつや消し効果を生じさせる細かい凹凸形状は、奥側ルーバー３３の表面に、直接形成することや、つや消し用の表面処理を施すことなどによって実施することができる。また、つや消し効果を生じさせる細かい凹凸形状は、奥側ルーバー３３の表面に、つや消し塗料を塗布することや、つや消し用のコーティング剤（トップコート）を施すことなどによって実施することができる。更に、つや消し効果を生じさせる細かい凹凸形状は、奥側ルーバー３３の表面につや消し効果を有するフィルムを設置したり（例えば、貼着したり、インサート成形したり）することなどによって実施することができる。
【００５２】
例えば、手前側ルーバー３２が（つや有りの）黒色である場合、奥側ルーバー３３をつや消しの黒色にして、両者の光の反射率に差を付けるようにすれば、奥側ルーバー３３を視認困難な態様にする効果を得ることができる。
【００５３】
なお、上記した細かい凹凸形状は、細かくするに従って、つや消し効果を高くすることができる。そして、細かい凹凸形状を、さらに細かくして、光の波長に近くするか、または、光の波長よりも小さくすると、光の反射を抑えて、低反射または無反射の状態を得ることができる。このような、光の波長に近い凹凸形状、または、光の波長よりも小さい凹凸形状（いわゆるナノ構造）は、半導体の製造などに使われている電子線リソグラフィの技術を応用すれば、十分に得ることができる。この場合、電子線リソグラフィにて微小凹凸パターンを有する型を作成し、ナノインプリントによって微小凹凸パターンを樹脂に転写すると、低反射または無反射の奥側ルーバー３３（低反射型奥側ルーバーまたは無反射型奥側ルーバー）が形成される。
【００５４】
さらに、低反射または無反射とするために、奥側ルーバー３３に対して、低反射フィルムまたは無反射フィルムなどの反射防止フィルムを、上記と同様にして設置することができる。この低反射フィルムまたは無反射フィルムは、反射防止処理を行った樹脂フィルムなどとされる。低反射フィルムまたは無反射フィルムには、例えば、ＡＧフィルム（Ａｎｔｉ−Ｇｌａｒｅ）や、ＡＲフィルム（Ａｎｔｉ−Ｒｅｆｌｅｃｔｉｏｎ）などが用いられる。ＡＧフィルムは、フィルムの内部に粒子を入れて、フィルム表面の凹凸を利用した反射光の散乱と、フィルムと粒子との屈折率の差による内部散乱とを利用して映り込みを防止するようにしたものである。また、ＡＲフィルムは、フィルム表面での反射光と、フィルム裏面での反射光との位相を逆転させて打消し合わせることで反射光を軽減させるようにしたものである。フィルム表面での反射光と、フィルム裏面での反射光との位相を逆転させるために、フィルムには、金属酸化物層などが形成される。
【００５５】
また、「居室部５側から視認し難しくする表面形状」として、奥側ルーバー３３の表面（少なくとも手前側の面の、少なくとも一部）に、黒色などの暗色の細かい起毛（毛状体）を設けて、毛状体によって光の反射を抑えさせるようにすることができる。この毛状体は、例えば、奥側ルーバー３３の表面に、植毛処理（植毛塗装またはモケット塗装など）を施すことによって形成することができる（起毛付奥側ルーバー）。
【００５６】
なお、上記した視認困難色と視認困難化用表面形状部とは、互いに組み合わせることができる。そして、組み合わせることにより、その効果が倍増するものである。
【００５７】
上記に加えて、奥側ルーバー３３は、可能な限り通気口部材本体３１の奥側に設置するのが好ましい。即ち、このようにすれば、外光が届き難くなるので、奥側ルーバー３３を見えなくする効果を向上させることができる。この場合には、奥側ルーバー３３が手前側から離れてしまうため、角度調節については、若干やり難くなるが、奥側ルーバー３３の風向調節機構５４を構成するリンク部材５３から手前側へ向けて風向調節用レバーを延ばして、通気口部材１７の表面に風向調節用レバーの先端部を引き出すようにしておけば、角度調節のやり難さの問題を解消することができる。また、手前側ルーバー３２の風向調節機構４８を構成するリンク部材４７から手前側へ向けて風向調節用レバーを延ばすようにしても良い。
【００５８】
そして、上記したような通気口部材１７，１８は、建物１の内部（屋内）に対して、以下のように設置されるようにする。
【００５９】
（構成４）
まず、建物１内部に、複数の通気口部材１７，１８を近接配置する。
そして、通気口部材１７，１８の少なくとも１つを、上記した奥側ルーバー３３をその存在が居室部５側から視認困難な態様にした二重ルーバー型の通気口部材１７（二重ルーバー型通気口部材３４）とする。
また、通気口部材１７，１８の別の少なくとも１つを、手前側ルーバー３２のみが設置された一重ルーバー型の通気口部材１８（一重ルーバー型通気口部材３５）とする。
【００６０】
（補足説明４）
ここで、通気口部材１７，１８の設置間隔は、例えば、居室部５内に居る者が無意識に視線を向けた時に、同時に視界に入ると共に、無意識に比較を行ってしまうような距離、または、それよりも短い距離とする。この場合には、通気口部材１７，１８は、ドア部７の上側に設置されているので、ドア部７が設置されるおおむね９０ｃｍから１００ｃｍの間隔の中に収まるように設置される。
そして、通気口部材１７，１８間の距離は、短くなるほど、奥側ルーバー３３が目立ち易くなり、また、通気口部材１７，１８の間を空気が短絡して気流のショートサーキットを生じ易くなって不利になるので、これらの不具合を避けるために、通気口部材１７，１８の内側辺間の間隔は、２０ｃｍ以上とするのが望ましい。
この場合、通気口部材１７，１８自体の幅寸法は、２０ｃｍ程度であるので、通気口部材１７，１８の外側辺間の距離は、６０ｃｍ程度以上となるが、上記のドア部７が設置される部分（９０ｃｍから１００ｃｍ）に余裕をもって設置することができる。
【００６１】
また、通常の場合、居室部５内に設置された通気口部材１７，１８は、長時間凝視されたり、詳細に観察されたりするような対象物（例えば、室内装飾物など）ではないので、「居室部５側から視認し難い」という場合の視認し難さの程度は、通常の注意力よりは低くて良い。
【００６２】
（構成５）
上記二重ルーバー型の通気口部材１７（二重ルーバー型通気口部材３４）が、建物１内部（この場合には、居室部５の内部）へ空気を供給するための給気口部材とされる。
また、上記一重ルーバー型の通気口部材１８（一重ルーバー型通気口部材３５）が、建物１内部（この場合には、居室部５の内部）の空気を排出するための排気口部材とされる。
【００６３】
（補足説明５）
ここで、通気口部材１７，１８は、給気口部材と排気口部材とを各１個ずつ設ける場合に限らず、建物１や居室部５などの大きさなどに応じて、少なくともどちらか一方を、複数個設けるようにしても良い。
【００６４】
（構成６）
上記二重ルーバー型の通気口部材１７（二重ルーバー型通気口部材３４）と、上記一重ルーバー型の通気口部材１８（一重ルーバー型通気口部材３５）とが、左右に並べて設置されるようにする。
【００６５】
（補足説明６）
ここで、二重ルーバー型通気口部材３４と一重ルーバー型通気口部材３５とは、ほぼ同じ高さレベルで横一列に設けられるようにしている。
【００６６】
そして、上記に加えて、奥側ルーバー３３に対して行った居室部５側から視認困難な態様にする構成（視認困難部６１の構成）は、通気口部材本体３１の内面に対しても、同様に行うことができる（内面視認困難性通気口部材本体）。即ち、上記した視認困難色や、視認困難化用表面形状部などの各種の構成を、単独で使用したり、または、適宜組み合わせて使用したりすることができる。更に、通気口部材本体３１の内面に対して行う、上記した視認困難色や、視認困難化用表面形状部などの構成は、奥側ルーバー３３に対して行ったものと同じものとすることや、あるいは、奥側ルーバー３３に対して行ったものとは異なるものとすることができる。このように、通気口部材本体３１の内面に対して、上記した視認困難色や、視認困難化用表面形状部などの構成を適用することにより、奥側ルーバー３３を居室部５側から視認困難な態様にする効果を倍増することが可能となる。
【００６７】
（構成７）
すでに上記しているが、二重ルーバー型の通気口部材１７と、一重ルーバー型の通気口部材１８とが、居室部５内におけるドア部７の上側に設置されるようにする。
【００６８】
＜作用＞以下、この実施例の作用について説明する。
【００６９】
空気調和装置１１を起動すると、給気ダクト２１および通気口部材１７（給気口部材）を介して、各居室部５へ空調用または換気用の空気が供給される。これによって、居室部５の空調や換気が行われる。そして、居室部５を空調したり換気したりした空気は、通気口部材１８（排気口部材）および排気ダクト２２を介して、空気調和装置１１へと吸入される。
【００７０】
この際、給気口部材とされた通気口部材１７の、手前側ルーバー３２の手前側羽根部４５は、直接操作すること、または、リンク部材４７を操作することによって、上下方向の角度が一度に調整される。これにより、上下方向の風向調整を行うことができる。
【００７１】
また、給気口部材とされた上記通気口部材１７の、奥側ルーバー３３の奥側羽根部５１は、直接操作すること、または、リンク部材５３を操作することによって、左右方向の角度が一度に調整される。これにより、左右方向の風向調整を行うことができる。
【００７２】
＜効果＞この実施例によれば、以下のような効果を得ることができる。
【００７３】
（作用効果１）
手前側ルーバー３２の奥側に奥側ルーバー３３が設置されている場合に、手前側ルーバー３２の隙間を通して居室部５側から奥側ルーバー３３の存在が見えてしまうおそれがあるが、奥側ルーバー３３を、その存在が居室部５側から視認困難な態様にすることにより、奥側ルーバー３３が居室部５側から見え難くなるため、通気口部材１７をすっきりした外観に仕上げることができるようになると共に、通気口部材１７の製品品質を向上することができるようになる。
【００７４】
（作用効果２）
奥側ルーバー３３（の視認困難部６１）を、居室部５側から視認し難い色彩とすることによって、奥側ルーバー３３を目立ち難くすることができる。
【００７５】
（作用効果３）
奥側ルーバー（の視認困難部６１）を、居室部５側から視認し難い表面形状とすることによって、奥側ルーバー３３を目立ち難くすることができる。
【００７６】
（作用効果４）
建物内部に複数の通気口部材１７，１８を近接配置する場合に、複数の通気口部材１７，１８が構造の異なるものであると、その構造の違いが異様に目立ってしまうおそれがある。特に、通気口部材１７，１８の少なくとも１つが、手前側ルーバー３２と奥側ルーバー３３とを有する二重ルーバー型の通気口部材１７（二重ルーバー型通気口部材３４）であり、通気口部材１７，１８の別の少なくとも１つが、手前側ルーバー３２のみを有する一重ルーバー型の通気口部材１８（一重ルーバー型通気口部材３５）である場合に、二重ルーバー型の通気口部材１７の奥側ルーバー３３が目立ってしまい、見た者に違和感を生じさせるおそれがある。このような場合に、二重ルーバー型の通気口部材１７の奥側ルーバー３３をその存在が居室部５側から視認し難いものとすれば、奥側ルーバー３３が居室部５側から見え難くなり、上記した違和感を解消することができる。以って、通気口部材１７，１８のレイアウト上の自由度を向上することができる。
【００７７】
（作用効果５）
一般に、空気を吹き出す給気口部材には、給気口部材には、細かい風向調整ができるようにするなどのために、二重ルーバー型の通気口部材１７（二重ルーバー型通気口部材３４）が用いられることが多い。また、空気を吸い込む排気口部材には、特に風向調整機能などは必要ないので、一重ルーバー型の通気口部材１８（一重ルーバー型通気口部材３５）が用いられることが多い。しかも、このような、奥側ルーバー３３を有する二重ルーバー型の給気口部材（通気口部材１７）と、奥側ルーバー３３を有さない一重ルーバー型の排気口部材（通気口部材１８）とを、セットにして設置する必要があるケースが多く発生している。よって、このような場合に、給気口部材の奥側ルーバー３３を手前側ルーバー３２よりも視認し難いものとすれば、上記した二重ルーバー型の給気口部材と一重ルーバー型の排気口部材との組み合わせを、違和感のない組み合わせとして、一般化することができる。
【００７８】
（作用効果６）
二重ルーバー型の通気口部材１７（二重ルーバー型通気口部材３４、給気口部材）と、一重ルーバー型の通気口部材１８（一重ルーバー型通気口部材３５、排気口部材）とを、左右に並べて設置した場合、両者は自然と比較されてしまうため、奥側ルーバー３３が目立ち易い最も不利な配置となるが、このような場合に、二重ルーバー型の通気口部材１７の奥側ルーバー３３を、その存在が居室部５側から視認し難いものとすることにより、上記した不利な配置であっても、違和感なく二重ルーバー型の通気口部材１７（給気口部材）と、一重ルーバー型の通気口部材１８（排気口部材）とを、設置することができる。
【００７９】
（作用効果７）
二重ルーバー型の通気口部材１７と、一重ルーバー型の通気口部材１８とが、居室部５内におけるドア部７の上側に設置されたことにより、ドア部７の上側は、居室部５にとってはデッドスペースであるので、デッドスペースを利用して、二重ルーバー型の通気口部材１７と、一重ルーバー型の通気口部材１８とを効率良く居室部５に設置することができる。また、ドア部７の周辺は、出入りの時以外は人が近づくことが少ないので、位置的に二重ルーバー型の通気口部材１７と、一重ルーバー型の通気口部材１８とが比較され難くなり、これらを配置する上でもまたデザイン的にも有利である。更に、ドア部７の周辺は、出入りの時以外は人が近づくことが少ないので、通気口部材１７や通気口部材１８からの風が直接人に当たり難く、空調効果の面でも有利である。
【００８０】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００８１】
１    建物
５    居室部
７    ドア部
１７  通気口部材（給気口部材）
１８  通気口部材（排気口部材）
３１  通気口部材本体
３２  手前側ルーバー
３３  奥側ルーバー
３４  二重ルーバー型通気口部材（給気口部材）
３５  一重ルーバー型通気口部材（排気口部材）
４５  手前側羽根部
５１  奥側羽根部
６１  視認困難部
【図１】
2014062704.tif 000003
【図２】
2014062704.tif 000004
【図３】
2014062704.tif 000005
【図４】
2014062704.tif 000006
【図５】
2014062704.tif 000007
【図６】
2014062704.tif 000008
【図７】
2014062704.tif 000009
【図８】
2014062704.tif 000010